(57)【要約】【課題】鋼製セグメントに変形が生じていても、コンクリート系セグメントに欠けやひび割れが生じることを防止することが可能なセグメント管の接続構造を提供する。【解決手段】鋼製セグメント２１を環状に組み立てた鋼製セグメント管２０と、コンクリート系セグメント３１を環状に組み立てたコンクリート系セグメント管３０とが、一部材からなるリング状の平板から形成された定規リング１０を介して接続されている。鋼製セグメント管２０、コンクリート系セグメント管３０、及び定規リング１０の外径は略一致する。【選択図】図１
2014051840.tif 000002
【特許請求の範囲】
【請求項１】
掘削機により掘削したトンネルの内周をセグメント管によって覆工するシールド工法におけるセグメント管の接続構造であって、
鋼製セグメントを環状に組み立てた鋼製セグメント管によって覆工される鋼製セグメント区間と、
コンクリート系セグメントを環状に組み立てたコンクリート系セグメント管によって覆工されるコンクリート系セグメント区間と、
一部材からなるリング状の平板から形成され、一方の面が前記鋼製セグメント区間に接続され、他方の面がコンクリート系セグメント区間に接続される定規リングとを備え、
前記鋼製セグメント管、前記コンクリート系セグメント管、前記定規リング及びの外径が略一致することを特徴とするセグメント管の接続構造。
【請求項２】
前記定規リングの内径は、前記鋼製セグメント管の内径よりも小さく、前記コンクリート系セグメント管の内径よりも大きいことを特徴とする請求項１に記載のセグメント管の接続構造。
【請求項３】
掘削機により掘削したトンネルの内周をセグメント管によって覆工するシールド工法におけるセグメント管の接続方法であって、
鋼製セグメントを環状に組み立てた鋼製セグメント管によって覆工する鋼製セグメント区間の先端の鋼製セグメント管に、一部材からなるリング状の平板から形成され、前記鋼製セグメント管と外径が略一致する定規リングの一方の面を接続する工程と、
前記定規リングの他方の面に、外径が前記定規リングの外径と略一致するコンクリート系セグメントを接続する工程とを備えることを特徴とするセグメント管の接続方法。
【請求項４】
前記定規リングと接続される前記鋼製セグメントの接合面に、前記定規リングに形成された貫通孔の位置に合わせて貫通孔を削孔し、
前記鋼製セグメントの前記貫通孔、前記定規リングの前記貫通孔、及び前記コンクリート系セグメントに予め形成された貫通孔を挿通させたボルトを締付ナットで螺合させることによって、前記鋼製セグメント、前記定規リング及び前記コンクリート系セグメントを一体に接続することを特徴とする請求項３に記載のセグメント管の接続方法。
【発明の詳細な説明】
【技術分野】
【０００１】
本発明は、セグメント管の接続構造及び接続方法、詳しくは、異種セグメント管の接続構造及び接続方法に関する。
【背景技術】
【０００２】
掘削機により掘削したトンネルの内周を、掘削機内でセグメントを組み立てたセグメント管によって覆工するシールド工法が知られている。一般的に使用されるセグメントは、鋼製セグメントとコンクリート系セグメントとに大別される。
【０００３】
鋼製セグメントは、鉄鋼を材料としたセグメントであり、材料の均質性、溶接性、比較的軽量、高靭性などの点で優れる。しかし、鋼製セグメントは、セグメント本体やセグメント同士間の接合部に変形や歪みなどが生じ易いという欠点を有する。
【０００４】
コンクリート系セグメントは、鋼材又は鉄筋とコンクリートにより構成されるセグメントであり、施工に依存するが、耐久性、耐圧縮性、水密性、高剛性などの点で優れる。しかし、コンクリート系セグメントは、脆性的で欠けやひび割れなどが生じ易いという欠点を有する。
【０００５】
これら両セグメントの有する特性と対象となるトンネルの形状などによって、使用するセグメントが選択される。一般的には、急な曲線や一部に開口を設けるなど特殊な部位を有するトンネルを構築する場合は、鋼製セグメントが選択され、直線的で中、大口径のトンネルを構築する場合は、コンクリート系セグメントが選択される。
【０００６】
上述したように、鋼製セグメントはセグメント本体やセグメント同士間の接合部に変形や歪みなどが生じ易く、このような変形が生じると、掘削機の推進反力が全断面に対して均一に作用しないという問題が生じる。一方、コンクリート系セグメントは応力集中や偏荷重によって欠けやひび割れなどが生じ易く、真円に組み立てられ拘束が十分な状態でないと本来の性能を発揮することができないという問題が生じる。
【０００７】
従って、１つのトンネルを構築する際に、これら両セグメントを連続的に施工すること、特に鋼製セグメントの前にコンクリート系セグメントを接続することは、鋼製セグメントに生じた変形がコンクリート系セグメントの欠けやひび割れの原因となるため、一般に行われていない。ただし、両セグメントの特性を活かして、両セグメントを連続的に施工したいという要望はある。
【０００８】
例えば、特許文献１には、直線施工部にコンクリートセグメントを用い、曲線施工部に鋼製セグメントを用い、コンクリートセグメントと鋼製セグメントとの間に鋼製の異形セグメントを介在させることが記載されている。
【０００９】
特許文献２には、鋼管、コンクリート管などからなる埋設管の管本体とセグメントとの間に、鋼材を筒状に組み立ててなる接続リング及び環状端部材などを介在させることが記載されている。
【先行技術文献】
【特許文献】
【００１０】
【特許文献１】特開昭６３−１４２１９１号公報
【特許文献２】特開２００１−２００６８９号公報
【発明の概要】
【発明が解決しようとする課題】
【００１１】
しかしながら、特許文献１には、異形セグメントは環状に複数個組み立てられたときに円錐台形を形成すること以外は通常一般のスチールセグメントとほぼ同様と記載されている。また、特許文献２には、セグメントと接続リングとの接続構造及び接続方法が記載されていない。
【００１２】
従って、特許文献１及び特許文献２に記載された技術では、鋼製セグメントに生じた変形によってコンクリート系セグメントに欠けやひび割れが生じるという課題を解消することができない。
【００１３】
本発明は、以上の点に鑑み、鋼製セグメントに変形が生じていても、コンクリート系セグメントに欠けやひび割れが生じることを防止することが可能なセグメント管の接続構造及び接続方法を提供することを目的とする。
【課題を解決するための手段】
【００１４】
本発明のセグメント管の接続構造は、掘削機により掘削したトンネルの内周をセグメント管によって覆工するシールド工法におけるセグメント管の接続構造であって、鋼製セグメントを環状に組み立てた鋼製セグメント管によって覆工される鋼製セグメント区間と、コンクリート系セグメントを環状に組み立てたコンクリート系セグメント管によって覆工されるコンクリート系セグメント区間と、一部材からなるリング状の平板から形成され、一方の面が前記鋼製セグメント区間に接続され、他方の面がコンクリート系セグメント区間に接続される定規リングとを備え、前記鋼製セグメント管、前記コンクリート系セグメント管、前記定規リングの外径が略一致することを特徴とする。
【００１５】
本発明のセグメント管の接続構造によれば、鋼製セグメント管とコンクリート系セグメント管とは、一部材からなるリング状の平板から形成された定規リングを介して接続されている。そのため、例え鋼製セグメント管に変形が生じていても、定規リングを介在しているので、コンクリート系セグメント管にその変形による影響が生じず、歪みなどの無い正規の真円形状に組み立てられることなる。よって、コンクリート系セグメント管に欠けやひび割れが生じることを防止することが可能となる。
【００１６】
なお、本発明において、外径が略一致するとは、外径が完全に一致する他に、機能面を考慮して外径が近似しているとみなせる場合を含む。具体的には、鋼製セグメント管とコンクリート系セグメント管の内径の段差の半分以下、好ましくは３分の１以下の範囲で近似する場合、本発明では略一致しているとみなす。
【００１７】
本発明のセグメント管の接続構造において、前記定規リングの内径は、前記鋼製セグメント管の内径よりも小さく、前記コンクリート系セグメント管の内径よりも大きいことが好ましい。
【００１８】
この場合、鋼製セグメント管とコンクリート系セグメント管との内径の段差による偏圧を定規リングによって吸収することができる。よって、コンクリート系セグメント管に欠けやひび割れが生じることをさらに防止することが可能となる。
【００１９】
本発明のセグメント管の接続方法は、掘削機により掘削したトンネルの内周をセグメント管によって覆工するシールド工法におけるセグメント管の接続方法であって、鋼製セグメントを環状に組み立てた鋼製セグメント管によって覆工する鋼製セグメント区間の先端の鋼製セグメント管に、一部材からなるリング状の平板から形成され、前記鋼製セグメント管と外径が略一致する定規リングの一方の面を接続する工程と、前記定規リングの他方の面に、外径が前記定規リングの外径と略一致するコンクリート系セグメントを接続する工程とを備えることを特徴とする。なお、本説明ではトンネルの掘削機側を前方、発進立坑側を後方とする。
【００２０】
本発明のセグメント管の接続方法によれば、鋼製セグメント管に続いて前方に設置されるコンクリート系セグメント管を、一部材からなるリング状の平板から形成された定規リングを介して接続させる。そのため、例え鋼製セグメント管に変形が生じていても、定規リングを介在させるので、続いて前方に設置されるコンクリート系セグメント管にその変形による影響が生じず、歪みなどの無い正規の真円形状に組み立てることが可能となる。よって、コンクリート系セグメント管に欠けやひび割れが生じることを防止することが可能となる。
【００２１】
本発明のセグメント管の接続方法において、前記定規リングと接続される前記鋼製セグメントの接合面に、前記定規リングに形成された貫通孔の位置に合わせて貫通孔を削孔し、前記鋼製セグメントの前記貫通孔、前記定規リングの前記貫通孔、及び前記コンクリート系セグメントに予め形成された貫通孔を挿通させたボルトを締付ナットで螺合させることによって、前記鋼製セグメント、前記定規リング及び前記コンクリート系セグメントを一体に接続することが好ましい。
【００２２】
この場合、例え鋼製セグメント管に変形が生じていても、定規リングに形成された貫通孔の位置に合わせて貫通孔を鋼製セグメント管の接続面に削孔するので、定規リングに形成された貫通孔の位置に合わせてコンクリート系セグメント管を歪みなどの無い正規の真円形状に組み立てることが可能となる。
【図面の簡単な説明】
【００２３】
【図１】（ａ）は本発明の実施形態に係るセグメント管の接続構造を示す説明図であり、（ｂ）は（ａ）における接続部の拡大図。
【図２】推進力伝達機構及び掘削機の側面図。
【図３】ハイブリッド推進工法を示す説明図。
【発明を実施するための形態】
【００２４】
本発明の実施形態に係るセグメント管の接続構造について図面を参照して説明する。
【００２５】
このセグメント管の接続構造は、例えば、図１（ａ）に示すように、定規リング１０を介して、鋼製セグメント管２０とコンクリート系セグメント管３０とを接続する構造、特に、鋼製セグメント管２０続いて前方に設置されるコンクリート系セグメント管３０を接続する構造である。この接続構造は、シールド工法、又は推進工法とシールド工法を併用したハイブリッド推進工法などで用いられる。
【００２６】
鋼製セグメント管２０は、複数個の鋼製セグメント２１を環状に組み立てたものであり、複数の鋼製セグメント管２０をその軸方向に連続して接続させて覆工したトンネル区間が、鋼製セグメント区間Ａである。
【００２７】
コンクリート系セグメント管３０は、複数個のコンクリート系セグメント３１を環状に組み立てたものであり、複数のコンクリート系セグメント管３０をその軸方向に連続して接続させて覆工したトンネル区間がコンクリート系セグメント区間Ｂである。
【００２８】
鋼製セグメント管２０及びコンクリート系セグメント管３０は、掘削機４０内部で組み立てられるため、その外径は略一致する。そして、同等の強度を確保するために、コンクリート系セグメント管３０の肉厚は鋼製セグメント管２０の肉厚よりも厚くなっている。よって、コンクリート系セグメント管３０の内径は鋼製セグメント管２０の内径よりも短く、これらの内周面には段差が生じる。
【００２９】
定規リング１０は、鋼構造のリング状（中空円盤状）の平板部材であり、その外径は鋼製セグメント管２０及びコンクリート系セグメント管３０の外径と略一致する。そして、定規リング１０の内径は、鋼製セグメント管２０の内径よりも小さく、コンクリート系セグメント管３０の内径よりも大きい。定規リング１０には、防錆のためのメッキが施されている。
【００３０】
定規リング１０は、その後側面が鋼製セグメント管２０の前側面に当接し、且つその前側面がコンクリート系セグメント管３０の後側面に当接して、鋼製セグメント管２０とコンクリート系セグメント管３０の間に介在されて、これらとボルト１１及び締付ナット１２を用いて固定されている（図１（ｂ）参照）。
【００３１】
定規リング１０は、平板であるため、予め掘削機４０の内部に搬入しておけば分割する必要は無い。なお、定規リング１０を分割して搬入した場合でも、掘削機４０内で溶接することによって一部材にすることができる。
【００３２】
次に、掘削機４０について図２を参照して説明する。この掘削機４０は、泥水式のシールド掘削機であり、スキンプレート（シールド筒）４３と、スキンプレート４３に組付けた掘削ユニット４４とを備えている。スキンプレート４３は、前スキンプレート（前筒）４３ａと後スキンプレート（後筒）４３ｂとから構成されている。後スキンプレート４３ｂの前端には、前スキンプレート４３ａの後端部に内嵌する球面ジョイント部４５が設けられており、前スキンプレート４３ａは後スキンプレート４３ｂに対し任意の方向に屈曲自在になる。そして、前スキンプレート４３ａと後スキンプレート４３ｂとを連結する中折れジャッキ４６を周方向の間隔を存して複数設け、これら中折れジャッキ４６により前スキンプレート４３ａの方向、即ち、掘削機４０の掘進方向を調節することができる。
【００３３】
後スキンプレート４３ｂには、掘削済みのトンネル内壁面にセグメント２１，３１をリング状に組付けるエレクタ４７が内装されると共に、設置済みのセグメント３１を反力受けにしてスキンプレート４３を前進させる複数のシールドジャッキ４１が周方向の間隔を存して取付けられている。また、後スキンプレート４３ｂの後端には、セグメント２１，３１との間の隙間をシールするテールシール４２が取付けられている。
【００３４】
掘削ユニット４４は、隔壁４８と、スキンプレート４３の前端より前方で切羽を掘削する、隔壁４８に支持されるカッタヘッド４９とを有している。
【００３５】
隔壁４８の背面には、カッタヘッド４９を回転駆動させる駆動ユニット５１が設けられている。駆動ユニット５１は駆動モータ、減速機、ギヤ等から構成され、駆動ユニット５１の駆動力によって、駆動軸５２を介してカッタヘッド４９を高トルクで回転駆動することができる。
【００３６】
カッタヘッド４９は、カッタビット４９ａを取付けた放射状の複数のカッタスポーク４９ｂと、各カッタスポーク４９ｂに内蔵した図示しない伸縮ジャッキにより各カッタスポーク４９ｂの外端部から径方向外方に出没するオーバーカッタ４９ｃとを備えている。
【００３７】
カッタヘッド４９と隔壁４８との間の空間が隔室５３となっている。隔室５３は、掘削土砂を泥水と共に充填して切羽面からの土圧に対抗させるためのものである。隔壁４８の後側には、隔室５３と連通する土砂搬出装置５４が設けられている。この土砂搬出装置５４は、送泥管５４ａ、排泥管５４ｂ、及びこれら送泥管５４ａ、排泥管５４ｂと接続され、後方の発進立坑にまで到る送排出泥管５４ｃなどから構成されている。
【００３８】
以下、本発明の第１の実施形態に係るセグメント管の接続方法について図１（ａ）を参照して説明する。この方法は、シールド工法でトンネルを構築する方法である。
【００３９】
まず、鋼製セグメント２１を用いた通常のシールド工法によって、鋼製セグメント区間Ａにおいて、複数個の鋼製セグメント２１を環状に組み立ててなる鋼製セグメント管２０を、その軸方向に複数連続して接続させて、覆工する。なお、鋼製セグメント区間Ａの最先端の鋼製セグメント管２０を構成する各鋼製セグメント２１の前側面には、他の鋼製セグメント２１と異なり貫通孔が形成されていない。
【００４０】
次に、最先端の鋼製セグメント管２０を構成する各鋼製セグメント２１の後側面に、定規リング１０を接続する。
【００４１】
具体的には、まず、定規リング１０の前側面と鋼製セグメント区間Ａ最先端の鋼製セグメント管２０を構成する各鋼製セグメント２１の後側面を当接させる。そして、この当接した状態で定規リング１０に予め形成された貫通孔１０ａの位置に合わせて、これら各鋼製セグメント２１の前側面（接続面）に、貫通孔２１ａを削孔する（図１（ｂ）参照）。
【００４２】
次に、定規リング１０の前側面に、複数個のコンクリート系セグメント３１の後側面を当接させて、これらコンクリート系セグメント３１でコンクリート系セグメント管３０を形成する。
【００４３】
そして、鋼製セグメント２１に削孔した貫通孔２１ａ、定規リング１０に形成されている貫通孔１０ａ及びコンクリート系セグメント３１に予め形成されている貫通孔３１ａをボルト１１を挿通させ、このボルト１１に締付ナット１２を螺合させて固定する（図１（ｂ）参照）。これにより、鋼製セグメント２１、定規リング１０及びコンクリート系セグメント３１、ひいては、鋼製セグメント管２０、定規リング１０及びコンクリート系セグメント管３０が一体的に接続される。
【００４４】
その後に、定規リング１０に一体に接続されたコンクリート系セグメント管３０の前方に連続させて、コンクリート系セグメント区間Ｂにおいて、複数個のコンクリート系セグメント３１を環状に組み立ててなるコンクリート系セグメント管３０を、その軸方向に複数連続して接続させて、覆工する。
【００４５】
第１の実施形態に係るセグメント管の接続方法によれば、例え鋼製セグメント管２０に変形が生じていても、定規リング１０を介在させているので、続いて前方に設置されるコンクリート系セグメント管３０にその変形による影響が生じず、歪みなどの無い正規の真円形状に組み立てることが可能となる。よって、コンクリート系セグメント管３０に欠けやひび割れが生じることを防止することが可能となる。
【００４６】
また、例え鋼製セグメント管２０に変形が生じていても、定規リング１０に予め形成された貫通孔１０ａの位置に合わせて、定規リング１０を接続させる各鋼製セグメント２１に貫通孔２１ａを削孔するので、定規リング１０に予め形成された貫通孔１０ａの位置に合わせてコンクリート系セグメント管３０を歪みなどの無い正規の真円形状に組み立てることが可能となる。特に、ＲＣ（鉄筋コンクリート）セグメント管は、真円に組み上げられた状態で本来の構造性能を発揮するので、真円形状に組み立てることができ、好ましい。
【００４７】
以下、本発明の第２の実施形態に係るセグメント管の接続方法について図３を参照して説明する。この方法は、推進工法とシールド工法を併用したハイブリッド推進工法でトンネルを構築する方法である。
【００４８】
発進立坑Ｃから所定の距離までの推進工法区間Ｅでは、推進工法で、推進管５０を接続することによって覆工する。
【００４９】
まず、図３（ａ）に示すように、地盤を掘削して発進立坑Ｃを形成し、発進立坑Ｃに反力受部６１、元押しジャッキ６２などを設置する。掘削機４０内部には、定規リング１０と鋼製セグメント管２０を、掘削機４０内部のシールドジャッキ４１と元押しジャッキ６２との間に設置する。これにより、定規リング１０は、鋼製セグメント管２０と掘削機４０内部のシールドジャッキ４１とをつなぐ（図２参照）。そして、反力受部６１に作用する元押しジャッキ６２の反力によって、掘削機４０を前進させる。
【００５０】
その後、図３（ｂ）に示すように、定規リング１０と鋼製セグメント管２０を介して元押しジャッキ６２の推進力をシールドジャッキ４１に伝達し、掘削機４０を定規リング１０及び鋼製セグメント管２０と一体的に推進させる。そして、発進立坑Ｃ内において定規リング１０の後側面に鋼製セグメント管の前側面を、鋼製セグメント管２０の後側面に推進管５０の前側面を図示しないボルト及び締付ナットを用いて接続させる。なお、推進管５０は、周方向に分割可能に構成してもよい。また、推進管５０はヒューム管であってもよい。
【００５１】
この後、推進管５０、鋼製セグメント管２０、定規リング１０及び掘削機４０を全体として一体的に推進させる。この推進により発進立坑Ｃ内に生じたスペースに新たな推進管５０を位置させて、既設の後端の推進管５０と接続させる。そして、推進管５０による推進工法区間Ｅの長さが所定の距離になるまで、このような工程を繰り返す。
【００５２】
推進工法時、鋼製セグメント管２０は、一部材から形成される定規リング１０によって前端を固定され、その形状が真円に保持される。
【００５３】
また、定規リング１０は、推進工法時、推進管５０から鋼製セグメント管２０を経由して掘削機４０に推進力を伝える推進力伝達機構として機能を有する。ハイブリッド推進工法において使用される推進力伝達機構は、鋼製セグメント管２０とコンクリート系セグメント管３０との内径段差を解消して、推進工法における推進力を掘削機４０に伝達している。これにより、偏圧によって、コンクリート系セグメント管３０に欠けやひび割れが生じることを防止することが可能となる。
【００５４】
推進工法における推進力は、推進管５０とその周囲地盤との摩擦状態によって変化する。そして、推進力を微細に調整することは困難であり、設計値と比較して大きな推進力がかかることがある。大きな推進力がかかっても、推進管５０とシールドジャッキ４１との間には鋼製セグメント管２０が配置され、前方は定規リングによって固定されているため、鋼製セグメント管２０に有害な変形等が発生しにくい。
【００５５】
図３（ｃ）に示すように、推進工法で管路を構築した後、シールド工法に移行する。シールド工法に移行後のコンクリート系セグメント区間Ｂは、通常のシールド工法と同様に施工する。
【００５６】
そして、図３（ｄ）に示すように、シールドジャッキ４１を伸長して掘削機４０を前進させた後、シールドジャッキ４１を縮退させてコンクリート系セグメント管３０を設置するためのスペースを確保する。そして、このスペースにコンクリート系セグメント３１を配置し、各コンクリート系セグメント３１を定規リング１０に接続することによってコンクリート系セグメント管３０を組み立てる。
【００５７】
このとき、定規リング１０はコンクリート系セグメント３１の位置決め部材として機能する。詳細は図示しないが、定規リング１０に予め形成された貫通孔に各コンクリート系セグメント３１に予め形成された貫通孔を合わせて、ボルトと締付ナットを用いて各コンクリート系セグメント３１を定規リング１０に固定する。
【００５８】
第２の実施形態に係るセグメント管の接続方法によっても、例え鋼製セグメント管２０に変形が生じていても、定規リング１０を介在させているので、続いて前方に設置されるコンクリート系セグメント管３０にその変形による影響が生じず、歪みなどの無い正規の真円形状に組み立てることが可能となる。よって、コンクリート系セグメント管３０に欠けやひび割れが生じることを防止することが可能となる。
【００５９】
以上、本発明の実施形態について図面を参照して説明したが、本発明はこれに限定されない。例えば、定規リング１０、鋼製セグメント管２０及びコンクリート系セグメント管３０の前後側面の外形が円形状である場合について説明した。しかし、これら前後側面の外形は、楕円形状であってもよい。また、コンクリート系セグメント３１の平面形状は、長方形や六角形などの多角形状であってもよい。また、コンクリート系セグメント管３０は、鋳鉄（ダクタイル）セグメント管、合成セグメント管で代用してもよい。
【符号の説明】
【００６０】
１０…定規リング、  １０ａ…貫通孔、  １１…ボルト、  １２…締付ナット、  ２０…鋼製セグメント管、推進管、  ２１…鋼製セグメント、  ２１ａ…貫通孔、  ３０…コンクリート系セグメント管、  ３１…コンクリート系セグメント、  ３１ａ…貫通孔、  ４０…掘削機、  ４１…シールドジャッキ、  ５０…推進管、  Ａ…鋼製セグメント区間  Ｂ…コンクリート系セグメント区間  Ｅ…推進工法区間。
【図１】
2014051840.tif 000003
【図２】
2014051840.tif 000004
【図３】
2014051840.tif 000005